(57)【要約】【課題】洗面所空間を空調し、かつマイナスイオンを同時に供給して洗面所内を快適にでき、更にヘアドライヤ機能を搭載してマイナスイオンを供給できる洗面所空調機を提供することを目的とする。【解決手段】暖房運転開始命令により制御部３１は循環用モータ１５の作動を開始させて循環用ファン１３を駆動させ、吸込口１１から洗面所内の空気が吸込まれる。更に所定時間経過後ヒータ３７に通電すると、風路２１内の空気はヒータ３７で加熱され、温風として吹出口７から洗面所内に供給される。その際、ヒータ３７で加熱された空気はマイナスイオン発生部３５よりマイナスイオンが与えられる。送風運転開始命令の場合は、制御部３１はヒータ３７への通電を行なわない以外は暖房運転の場合と同様の制御を行なう。【選択図】　図３
2004144306.tif 000002
【特許請求の範囲】
【請求項１】
洗面所内の空気を吸込み、温風として再び洗面所内に供給するための温風循環部と、前記温風循環部の動作をコントロールする制御部とを備えた洗面所空調機において、前記温風循環部にマイナスイオン発生部を配設し、前記制御部の信号により前記温風に加えてマイナスイオンを洗面所内に供給することを特徴とする洗面所空調機。
【請求項２】
前記温風循環部は、洗面所内の空気を吸込み風路を介して再び洗面所内に供給するための送風手段と、前記風路内に配設され前記送風機に吸込まれた空気を加熱するための加熱手段から構成され、前記マイナスイオン発生部は、前記風路内であって前記加熱手段の下流に設置することを特徴とする請求項１記載の洗面所空調機。
【請求項３】
前記制御部は、前記マイナスイオン発生部によるマイナスイオンの発生の有無を切替えることを特徴とする請求項１または請求項２記載の洗面所空調機。
【請求項４】
前記送風手段を作動させて洗面所内に送風する送風モードと、前記送風手段の作動に加え前記加熱手段による加熱を開始し洗面所内に温風を供給する温風モードとを備えるとともに、前記制御部は、前記温風モードの時に前記マイナスイオン発生部によるマイナスイオンの発生を行なうことを特徴とする請求項３記載の洗面所空調機。
【請求項５】
前記温風モードは、洗面所内を温めるための第１のモードと、前記第１のモードよりも高速の温風を供給して頭髪を乾燥させるための第２のモードとからなり、前記制御部は、前記第２のモードの時に前記マイナスイオン発生部によるマイナスイオンの発生を行なうことを特徴とする請求項４記載の洗面所空調機。
【請求項６】
前記洗面所内に前記制御部と通信するリモコンを備え、前記制御部は前記リモコンの操作により前記マイナスイオン発生部によるマイナスイオンの発生の有無を制御することを特徴とする請求項３記載の洗面所空調機。
【請求項７】
浴室と隣接する前記洗面所の壁に設置された浴室ドア上部に取付けたことを特徴とする請求項１から請求項６のいずれかに記載の洗面所空調機。
【発明の詳細な説明】
【０００１】
【発明の属する技術分野】
本発明は、洗面所の暖房等を行う洗面所空調機に関する。
【０００２】
【従来の技術】
近年エアコンや空気清浄器にイオン発生機を搭載しているものが知られている（例えば特許文献１参照）。このものでは、タバコの煙やホコリなど汚染微粒子の増加に伴って室内で減少する、負イオンまた負イオンと正イオンの補充を行い、空気中の減少したイオンを増加させるものである。そして室内の負イオンの量を調節してイライラ感などを解消し健康面での効果や作業能力の向上を得るものである。また、ヘアドライヤーにおいてもマイナスイオンを発生するものが市場に現れてきている（例えば特許文献２参照）。このものでは毛髪にマイナスイオンを当てることで髪の奥まで水分が浸透し、髪のまとまりをよくする効果を得られると言われている。
【０００３】
【特許文献１】
特公平７−２３７７７号公報（第３頁、第１図）
【特許文献２】
特開２００２−６５３４４号公報（第３−５頁、第１図）
【０００４】
【発明が解決しようとする課題】
しかしながら、上記従来のものは家庭内のリビングやオフィスの会議室などで使用するエアコンにマイナスイオン発生器を搭載した空気調和機であったり、ヘアドライヤーにマイナスイオン発生器を搭載したものであり、洗面所空間を空調する洗面所空調機においてはマイナスイオンを発生するものはまだ知られていない。
【０００５】
洗面所空間は冬場には暖房運転を行って他の空間との温度差をなくし快適な空間にすることが望まれる一方、洗面所を使用する状況においてはいずれも心身ともにリラックスした状態が望ましい。例えば、入浴後の洗面所空間においては入浴して疲れを解消しリラックスした状態を洗面所空間においても維持するのが望ましく、また、時間の余裕がなく、緊張した状態で行うことが多い朝の身支度時や就寝前は特に心身ともにリラックスした状態が望ましい。
【０００６】
その反面、洗面所では脱衣、着衣時や洗濯機を設置している場合など、特に衣類からホコリが出る可能性が高く、また換気が少なく家庭内においては密閉された空間のため、洗面所空間は他の部屋に比べてホコリ等の汚染微粒子により負イオンが減少しやすい傾向にある。
【０００７】
従って、洗面所の空調を行いつつ、更にマイナスイオンの発生も行える装置が望まれる。
【０００８】
また、上記従来のものではマイナスイオン発生器に電極を用いた放電針を設けたものであるが、運転時には常時マイナスイオンを発生させる構成のため、消耗が激しく寿命が短くなるといった問題もあった。
【０００９】
本発明は、上記課題を解決するためになされたもので、本発明の目的は、洗面所空間を空調し、かつマイナスイオンを同時に供給して洗面所内を快適な空間にすることができ、更にヘアドライヤ機能を搭載してマイナスイオンを供給できる洗面所空調機を提供することにある。
【００１０】
【課題を解決するための手段及びその作用・効果】
上記目的を達成するために、本発明においては、洗面所内の空気を吸込み、温風として再び洗面所内に供給するための温風循環部と、前記温風循環部の動作をコントロールする制御部とを備えた洗面所空調機において、前記温風循環部にマイナスイオン発生部を配設し、前記制御部の信号により前記温風に加えてマイナスイオンを洗面所内に供給するので、これまでの洗面所空調機の機能を維持しつつ更にマイナスイオンの効果が加わることで、洗面所空間を快適にすることが可能となる。特に朝の身支度や就寝前の身だしなみ、入浴前の脱衣、入浴後の着衣時など、健康面でリラックスした状態が望ましい場合にマイナスイオンを発生することにより快適な洗面所空間を実現することができる。
【００１１】
具体的な実施形態としては、前記温風循環部は、洗面所内の空気を吸込み風路を介して再び洗面所内に供給するための送風手段と、前記風路内に配設され前記送風機に吸込まれた空気を加熱するための加熱手段から構成され、前記マイナスイオン発生部は、前記風路内であって前記加熱手段の下流に設置する。一般的にマイナスイオンは加熱されるとその発生量が減少してしまうため、加熱された後の空気に放出することが望ましい。したがって、極力マイナスイオンの減少を抑制して効率的に洗面所内にマイナスイオンを供給することができる。
【００１２】
また、前記制御部は、前記マイナスイオン発生部によるマイナスイオンの発生の有無を切替えることとした。好適な実施形態としては、前記送風手段を作動させて洗面所内に送風する送風モードと、前記送風手段の作動に加え前記加熱手段による加熱を開始し洗面所内に温風を供給する温風モードとを備えるとともに、前記制御部は、前記温風モードの時に前記マイナスイオン発生部によるマイナスイオンの発生を行なうこととした。従って、必要な運転モードのみマイナスイオンの発生を行えるので、マイナスイオン発生部、例えば電極の消耗を抑えることができる。
【００１３】
更に、前記温風モードは、洗面所内を温めるための第１のモードと、前記第１のモードよりも高速の温風を供給して頭髪を乾燥させるための第２のモードとからなり、前記制御部は、前記第２のモードの時に前記マイナスイオン発生部によるマイナスイオンの発生を行なうこととすれば、毛髪にマイナスイオンを当てることで、髪の奥まで水分が浸透し、髪のまとまりよよくする効果が得られ、両手で頭髪を乾燥させることができ、収納も必要ないためヘアドライヤとしての使い勝手が向上する。
【００１４】
別の実施形態として、前記洗面所内に前記制御部と通信するリモコンを備え、前記制御部は前記リモコンの操作により前記マイナスイオン発生部によるマイナスイオンの発生の有無を制御するように構成すれば、使用者の好みに応じてマイナスイオンの有無を選択することができる。
【００１５】
また、洗面所空調機を浴室と隣接する前記洗面所の壁に設置された浴室ドア上部に取付けると、入浴後に洗面所に入った位置でヘアドライヤの運転が行なえるので使い勝手が向上する。
【００１６】
【発明の実施の形態】
以下に本発明の実施の形態を図面に基づいて説明する。
【００１７】
図１は、本発明の一実施形態に係る空調システムの概略図である。
【００１８】
本発明の洗面所空調機１は、浴室Ａと隣接する洗面所Ｂの境界にある壁Ｄの浴室ドアＣの上部に設置されている。
【００１９】
洗面所空調機１は、洗面所Ｂ内の空気を洗面所空調機１前面から吸込んで内部に備えたヒータなどの加熱手段により昇温し、再び洗面所Ｂ内に温風として供給する温風モード、洗面所Ｂ内の空気を洗面所空調機１前面から吸込んで再び洗面所Ｂ内に供給する送風モードを備える。温風モードには主に洗面所Ｂ内を温めるための暖房モードと、主に頭髪を乾燥するためのドライヤモードの２つのモードを備え、ドライヤモードは暖房モードに比べて高速風の温風を供給して頭髪の乾燥に適したモードとしている。
【００２０】
また、洗面所Ｂには洗面所空調機１を遠隔操作するリモコン４１が設置され、前述した洗面所空調機１の温風モード、送風モードを操作することができる。このときリモコン４１は赤外線式や電波式などの無線方式を使用して洗面所空調機１と通信するように構成すれば施工上好ましい。
【００２１】
図２は、本発明における洗面所空調機の一実施形態を示す図である。
【００２２】
洗面所空調機１は、化粧カバー３と本体ケーシング５とで主に構成されている。
【００２３】
化粧カバー３前面には洗面所Ｂ内の空気を吸い込むための吸込口１１及び吸込口１１から吸込んだ空気を再び洗面所Ｂ内に吹出すための吹出口７が設けられている。更に、吹出口７には吹出す空気の方向を左右上下に可変するための可変手段としてのルーバーを備えている。このルーバーはリモコン９の操作により自動で吹出方向を可変できる構成としてもよいし、手動で吹出方向を可変できる構成としてもよい。
【００２４】
図３は、本発明における洗面所空調機の内部構造を示す図である。
【００２５】
前面を開口した箱型の本体ケーシング５は、壁に固定するための固定用穴１９が両端に複数個設けられ、固定用穴１９にネジを通して洗面所の壁に固定する。また、本体ケーシング５内部には、送風手段としての循環用ファン１３、循環用ファン１３を回転させるための循環用モータ１５、加熱手段としての電気式のヒータ３７、吸込口１１から吸込んだ空気の流路としての風路２１とで構成される温風循環部２３を備える。また、温風循環部２３の下流側端部吹出口７には吹出方向を可変する吹出方向可変手段としての電動ルーバー１７が備えられ、吹出し方向を自在に可変することが可能である。また、温風循環部２３の循環用ファン１３とヒータ３７間の風路２１内には吸込んだ空気の温度検出手段としてのサーミスタ３９も備えている。
【００２６】
更に、温風循環部２３内のヒータ３７下流の風路２１内には、マイナスイオン発生部３５が備えられ、マイナスイオン発生装置としてのイオナイザ３３の作動により風路２１内を通る空気にマイナスイオンを与える働きをする。マイナスイオン発生部３５は電極を用いた放電針を先端に備え、高電圧を印加させることにより放電させ、放電針先端からマイナスイオンが発生する構成となっている。
【００２７】
また制御部３１は、循環用モータ１５、ヒータ３７、サーミスタ３９、イオナイザ３３、電動ルーバー１７と電気的に接続され、運転モードに応じて各々を制御する。
【００２８】
具体的には暖房運転開始命令により制御部３１は循環用モータ１５の作動を開始させて循環用ファン１３を駆動させ、吸込口１１から洗面所内の空気が吸込まれる。次に所定時間経過後ヒータ３７に通電すると、風路２１内の空気はヒータ３７で加熱され、温風として吹出口７から洗面所内に供給される。その際、ヒータ３７で加熱された空気はマイナスイオン発生部３５よりマイナスイオンが与えられる。送風運転開始命令の場合は、制御部３１はヒータ３７への通電を行なわない以外は暖房運転の場合と同様の制御を行なう。
【００２９】
図４は、本発明における洗面所空調機の制御ブロック図である。
【００３０】
上述したように制御部３１は循環用モータ１５、ヒータ３７、サーミスタ３９、イオナイザ３３、電動ルーバ１７に加え、リモコン４１とも接続されている。
【００３１】
本発明における洗面所空調機は、主に洗面所内を温めるための暖房モードと、主に頭髪を乾燥するためのドライヤモード、洗面所Ｂ内の空気を洗面所空調機１前面から吸込んで再び洗面所Ｂ内に供給する送風モードを備える。リモコン４１の操作により、暖房モードの指示が制御部３１にくると制御部３１は循環用モータ１５、ヒータ３７、イオナイザ３３に作動信号を送る。ドライヤモードの指示が制御部３１にくると暖房モードと同様に制御部３１は循環用モータ１５、ヒータ３７、イオナイザ３３に作動信号を送るが、循環用モータ１５へは暖房モード時よりも高速の回転で駆動するように制御する。送風モードの指示が制御部３１にくると制御部３１は循環用モータ１５、イオナイザ３３に作動信号を送る。ここでサーミスタ３９の検出温度が所定温度よりも高い場合には、制御部３１は洗面所内の雰囲気温度が高いと判断し、ヒータ３７へ加熱量を抑制するように指示する。その際、ヒータ３７への通電を停止させてもよい。
【００３２】
また制御部３１は、リモコン４１により吹出方向自在の指示がくると電動ルーバー１７へ左右上下自在に動作するように駆動信号を送る。
【００３３】
図５は本発明における洗面所空調機の一実施形態を示す運転動作シーケンスである。
【００３４】
後述する暖房スイッチがオンされる（ステップＳ１）と制御部３１はイオナイザ３３及びヒータ３７が作動するように信号を発信する（ステップＳ２）。そしてさらに制御部３１は循環モータ１５を作動させて、暖房運転を開始する。またステップＳ１で暖房スイッチがオンされず、後述するドライヤスイッチがオンされる（ステップＳ３）と、暖房運転同様に制御部３１はイオナイザ３３及びヒータ３７が作動するように信号を発信し（ステップＳ２）、循環モータ１５を暖房運転とくらべ高回転で運転するように作動させて、ドライヤ運転を開始する。またステップＳ３でドライヤスイッチがオンされず後述する送風スイッチがオンされる（ステップＳ５）と循環モータ１５を作動させて（ステップＳ４）、送風運転を開始する。このようにある特定のモード（図５では暖房運転モードとドライヤ運転モード）のみマイナスイオンの発生を行うように構成している。
【００３５】
なお、例えばドライヤモード時のみマイナスイオンを発生する構成にしてもよい。または、図７で説明するようにリモコン４１に操作部を設けて、その操作によりマイナスイオンの発生有無を切替えるように制御部３１を構成してもよい。
【００３６】
図６は本発明における操作部としてのリモコンを示す図である。
【００３７】
リモコン４１には、全ての運転を停止するための停止スイッチ５１、洗面所の暖房モードを開始するための洗面所暖房スイッチ４３、ドライヤ運転を開始するための洗面所ドライヤスイッチ４５、洗面所の送風モードを開始するための送風スイッチ４７、図３で説明した電動ルーバー１７を自動的に動作するための風向自動スイッチ４９を備える。更に、洗面所暖房スイッチ４３に隣接した位置にＬＥＤ４３ａを設け、洗面所暖房スイッチ４３が操作された際にはＬＥＤ４３ａが点灯し、現在の運転を確認することができる。なお、このＬＥＤは停止スイッチ５１以外のスイッチに全て設けられている。
【００３８】
図７は本発明における操作部としてのリモコンの他の実施形態を示す図である。なお、図５と同じスイッチについては説明を省略する。
【００３９】
リモコン４１には、図５で説明した停止スイッチ５１、洗面所暖房スイッチ４３、洗面所ドライヤスイッチ４５、送風スイッチ４７、風向自動スイッチ４９の他に、マイナスイオンの発生を開始／停止するためのマイナスイオン入／切スイッチ４９を設け、使用者の好みに応じてマイナスイオンの発生の有無を選択することができる。
【図面の簡単な説明】
【図１】本発明の一実施形態に係る空調システムの概略図。
【図２】本発明における洗面所空調機の一実施形態を示す図。
【図３】本発明における洗面所空調機の内部構造図。
【図４】本発明における洗面所空調機の制御ブロック図。
【図５】本発明における洗面所空調機の一実施形態を示す運転動作シーケンス。
【図６】本発明における操作部としてのリモコンの一実施形態を示す図。
【図７】本発明における操作部としてのリモコンの他の実施形態を示す図。
【符号の説明】
Ａ…浴室
Ｂ…洗面所
Ｃ…浴室ドア
Ｄ…洗面所の壁
１…洗面所空調機
７…吹出口
１１…吸込口
１３…循環用ファン
１５…循環用モータ
２１…風路
２３…温風循環部
３１…制御部
３５…マイナスイオン発生部
３７…ヒータ
４１…リモコン
【図１】
2004144306.tif 000003
【図２】
2004144306.tif 000004
【図３】
2004144306.tif 000005
【図４】
2004144306.tif 000006
【図５】
2004144306.tif 000007
【図６】
2004144306.tif 000008
【図７】
2004144306.tif 000009